(57)【要約】【課題】  視聴者個人に対し、個別で最適な配信リスト（番組表）を作成し配信し、趣向や気分、感情にあったコンテンツを配信／視聴できるシステムを提供すること。【解決手段】  個人向けコンテンツ配信システムと、視聴者個人所有の受信端末装置から成る個人向けコンテンツ配信方法であって、  前記コンテンツ配信装置が、  配信対象の個人の趣向や視聴履歴情報などを含んだ個人情報を取得し、視聴者の状態や気分などを示すモード情報を取得し、さらにコンテンツのメタ情報を取得し、これらに基づき個人用に最適化したコンテンツの配信リストを作成すると共に、配信リストに従ってコンテンツデータベースから対応するコンテンツを取得し、対応する視聴者個人所有の受信端末装置向けに配信するステップを備え、  前記受信端末装置が、  視聴者が選択または事前に設定したモード設定を参照し、視聴者の現在の気分や状態に最適なコンテンツを自動再生するステップを備える。【選択図】    図１
2010130051.tif 000002
【特許請求の範囲】
【請求項１】
コンテンツデータベース、個人情報データベース、モード情報データベースと、個人用配信リストデータベース及びコンテンツ配信装置を備えた個人向けコンテンツ配信システムと、この個人向けコンテンツ配信システムからコンテンツおよび配信リストを受信する視聴者個人所有の受信端末装置から成るシステムにおける個人向けコンテンツ配信方法であって、
前記コンテンツ配信装置が、
前記個人情報データベースに登録された配信対象の個人の趣向や視聴履歴情報などを含んだ個人情報を取得し、さらにモード情報データベースから視聴者の状態や気分などを示すモード情報を取得し、また前記コンテンツデータベースに登録されたコンテンツのメタ情報を取得し、その個人情報及びモード情報並びにメタ情報に基づき個人の趣向及び視聴者の状態などに応じた個人用に最適化したコンテンツの配信リスト（番組表）を作成し、その作成した個人用のコンテンツの配信リストを前記個人用配信リストデータベースに登録する第１のステップと、前記個人用配信リストデータベースに登録された配信リストを視聴者個人所有の受信端末装置向けに配信すると共に、配信リストに従って前記コンテンツデータベースから対応するコンテンツを取得し、対応する視聴者個人所有の受信端末装置向けに配信する第２のステップとを備え、
前記受信端末装置が、
前記コンテンツ配信装置から配信された配信リスト及びコンテンツを受信し、個人用配信リストデータベース及び個人用コンテンツデータベースに登録する第３のステップと、登録された配信リストを表示し、当該配信リスト中のいずれかのコンテンツの選択操作に応じて前記個人用コンテンツデータベースから対応するコンテンツを取得して視聴可能に再生する第４のステップとを備えることを特徴とする個人向けコンテンツ配信方法。
【請求項２】
前記第１のステップにおいて、個人情報データベースから取得した個人情報及びモード情報データベースから取得した視聴者の状態や気分などを示すモード情報及びコンテンツデータベースから取得したメタ情報に対し、複数のレコメンデーション装置を用いて個人用に最適化したコンテンツの配信リストを作成することを特徴とする請求項１に記載の個人向けコンテンツ配信方法。
【請求項３】
コンテンツデータベース、個人情報データベース、モード情報データベースと、個人用配信リストデータベース及びコンテンツ配信装置を備えた個人向けコンテンツ配信システムと、この個人向けコンテンツ配信システムからコンテンツおよび配信リストを受信する視聴者個人所有の受信端末装置から成る個人向けコンテンツ配信システムであって、
前記コンテンツ配信装置が、
前記個人情報データベースに登録された配信対象の個人の趣向や視聴履歴情報などを含んだ個人情報を取得し、さらにモード情報データベースから視聴者の状態や気分などを示すモード情報を取得し、また前記コンテンツデータベースに登録されたコンテンツのメタ情報を取得し、その個人情報及びモード情報並びにメタ情報に基づき個人の趣向及び視聴者の状態などに応じた個人用に最適化したコンテンツの配信リスト（番組表）を作成し、その作成した個人用のコンテンツの配信リストを前記個人用配信リストデータベースに登録する第１の手段と、前記個人用配信リストデータベースに登録された配信リストを視聴者個人所有の受信端末装置向けに配信すると共に、配信リストに従って前記コンテンツデータベースから対応するコンテンツを取得し、対応する視聴者個人所有の受信端末装置向けに配信する第２の手段とを備え、
前記受信端末装置が、
前記コンテンツ配信装置から配信された配信リスト及びコンテンツを受信し、個人用配信リストデータベース及び個人用コンテンツデータベースに登録する第３の手段と、登録された配信リストを表示し、当該配信リスト中のいずれかのコンテンツの選択操作に応じて前記個人用コンテンツデータベースから対応するコンテンツを取得して視聴可能に再生する第４の手段とを備えることを特徴とする個人向けコンテンツ配信システム。
【請求項４】
前記第１の手段が、個人情報データベースから取得した個人情報及びモード情報データベースから取得した視聴者の状態や気分などを示すモード情報及びコンテンツデータベースから取得したメタ情報に対し、複数のレコメンデーション装置を用いて個人用に最適化したコンテンツの配信リストを作成することを特徴とする請求項３に記載の個人向けコンテンツ配信システム。
【発明の詳細な説明】
【技術分野】
【０００１】
本発明は、膨大に存在する動画コンテンツ（または静止画コンテンツ）から個人の趣向などに応じて最適化したコンテンツの配信リストを作成し、その配信リストに沿ったコンテンツを個人が所有する視聴用の受信端末に対して配信する個人向けコンテンツ配信方法及びシステムに関するものである。
【背景技術】
【０００２】
１９５３年から始まったアナログテレビ放送も完全に普及し、国内のほとんどの人に視聴されるマスメディアに発展した。さらに、２００３年より始まった地上デジタルテレビジョン放送によりデジタル化されて配信されるようになった。テレビ放送以外にも、インターネット上にもデジタル化された動画コンテンツを配信するＷｅｂサービスが登場し始め、今では動画コンテンツ配信サービスサイトが多く見られるようになった。
【０００３】
図８は、現在の一般的な動画コンテンツの配信と視聴するまでのモデル例を表す図である。
テレビ放送の場合は、テレビ放送局（８０１）が配信する装置（８０２）を介して、ＶＨＦ／ＵＨＦ網（８０３）を利用し、コンテンツを電波として放送する。視聴者（８０５）は、放送された電波を視聴者が持つ受信する装置（８０４）で取得し、再生する装置（８０４）で視聴する。
インターネットを媒体とした動画コンテンツ配信の場合は、視聴者（８０９）が動画を配信するサイト（８０６）にアクセスし、視聴したい動画コンテンツを選択する。選択された動画コンテンツは、インターネット網（８０７）を経由して、受信する装置（８０８）で取得され、再生する装置（８０８）で再生される。
【０００４】
このように、動画コンテンツ配信技術が発達し普及したことで、視聴者は簡単に多くの情報を視聴することが可能になった。しかしながら、新旧のコンテンツを含め、世の中に蓄積されるデジタル化された動画コンテンツは日に日に蓄積され膨大な量になる。そのため、昔から変わらない視聴者が視聴する動画コンテンツを各々選択するという方式では、日々配信されつづける膨大なデータの中から視聴者が求める情報を選択する負荷は非常に高いものになってしまう。
すなわち、情報量が増えたことで視聴者は簡単に情報を視聴することが出来るようになった反面、限りある時間の中で必要情報のみを選択し、視聴するのは現実的に難しくなってきてしてまっている。
【０００５】
これらの問題を改善させるため方法の一つとして、膨大のデータから自動で関連性の高い情報を分析し、関係性の高い情報のリストを作成（レコメンデーション）して、視聴者に提供する方法や手段を持ち合わせる方法がある。
多くのコンテンツ中から視聴者に関係性の深いコンテンツの候補を自動的に視聴者に返すレコメンデーション機能はレコメンデーション装置が実現する。
このレコメンデーション装置として、下記の特許文献１に開示されたものがある。
【０００６】
【特許文献１】特許第３７１４３１０号
【特許文献２】特許第３８３８０１４号
【０００７】
視聴者とデータの関係性を分析するレコメンデーションの方法としては、視聴者の情報とコンテンツに埋め込まれた付加情報であるメタ情報の関係性を分析する手法がよく利用される。
メタ情報とは、コンテンツそのものに埋め込まれるコンテンツの付加情報で、構成項目は特に決まった項目が定められている訳ではなく、必要に応じて項目はメーカやサービス提供者によって任意利用される情報である。
広く知られているメタ情報の一例としては、図９に例示するように、静止画ファイルのExif情報がある。Exif情報は、静止画（９０１）の撮影時に撮影機器によりファイルに付加される情報で、撮影日時やファイルサイズなどのファイル情報で構成されている（９０２）。
静止画と同様に、動画ファイルにおいても高い自由度でコンテンツの情報をファイルに埋め込むことができる。図１０は、動画ファイル（１００１）のメタ情報（１００２）の一例を表す図である。
【０００８】
コンテンツに付加されるメタ情報を利用してコンテンツ候補を抽出するレコメンデーションを行うための手法の他にも、キーワードを利用してコンテンツ候補を抽出したり、過去の行動履歴を元にコンテンツ候補を抽出したり、類似の性質を持つ視聴者を特定して類似の性質を持つグループを元にコンテンツ候補を摘出したりなどと色々な方法がある。
レコメンデーションを行うための手法は、多く存在し、手法ごとに精度が異なる。また、視聴者の気分や状態、性格など色々な要素により、レコメンデーションされたコンテンツ候補の制度は視聴者毎にバラつきが発生する。
【発明の開示】
【発明が解決しようとする課題】
【０００９】
現在のテレビ放送の仕組みでは、事前に決められた放送時間にテレビ放送網を通じて、
一斉に動画コンテンツの配信を行っている。
図１１は、テレビ放送網を通じて動画コンテンツを視聴するための一般的なフローを表す図である。
テレビ放送の仕組みでは、一対多の配信を行っている。そのため、視聴者は事前に動画コンテンツの番組表（配信リスト）を確認する必要がある（１１０１）。さらに、配信時刻に視聴を行う必要がある（１１０２）。
放送時間に視聴できない場合（１１０３）に関しては、録画機能を持つ装置でコンテンツを録画予約し（１１０４）、視聴者の好きな時間に視聴する代替方法もあるが、事前に番組表（配信リスト）を確認する作業（１１０１）は必要になり、別途放送時間に合わせた録画予約を行う必要がある（１１０４）。
また、番組表（配信リスト）を変更しての放送で予約失敗したり、ヒューマンエラーによる予約失敗したりするケース（１１０６）もしばしば見受けられる。
【００１０】
一方、視聴者は、感情（喜怒哀楽）や気分（疲労感・リラックス状態など）の色々な心身状態を持つ。この心身状態は、視聴者の視聴行動に影響する。
例えば、「気分が憂鬱な時」に「気分を明るくするため」にテレビ放送を視聴しようとした時に、報道番組のような「真面目なコンテンツ」だけしか放送されていない場合はどうだろうか。視聴者は、テレビ放送を視聴することを断念するだろう。
しかしながら、配信範囲は不特定多数の視聴者であるため、様々な心身状態を考慮して、視聴者に最適なコンテンツを提供することは不可能である。
【００１１】
また、テレビ放送以外の動画コンテンツ配信方法の一つとして、インターネットを媒体とした動画コンテンツ配信の仕組みがある。インターネットを媒体とした動画コンテンツ配信の仕組みでは、ＨＴＭＬコンテンツの閲覧と同じく、キーワードによる検索機能により、動画コンテンツを検索し、検索結果のサムネイルから動画コンテンツを選択し視聴するケースが一般的である。
この仕組みであれば心身状態に適さないコンテンツを視聴者の意志で排除することもできるが、視聴者の能力によって視聴できるコンテンツの範囲が限定されてしまう現象を招いてしまう。
すなわち、視聴者の知識の中からの選択されたキーワードの入力やサムネイルからの選択になるため、視聴者の知識以上の動画コンテンツ検索が実現しにくく、動画コンテンツの検索結果は、検索した視聴者の能力や知識に大きく依存されることになる。
【００１２】
このように、テレビ放送やインターネットを媒体とした動画コンテンツの視聴が簡単に多くの情報を得られる手段を提供した反面、コンテンツの膨大さゆえに動画コンテンツの選択の手間を煩雑化させる結果をもたらしてしまっている。
【００１３】
本発明の目的は、上記の課題を解決し、視聴者個人に対し個別で最適な配信リスト（番組表）を自動作成し、視聴者が情報を選択しなくても、趣向や気分、感情にあった動画コンテンツまたは静止画コンテンツを配信する方法及びシステムを提供することにある。
【課題を解決するための手段】
【００１４】
上記目的を達成するために、本発明に係るコンテンツ配信方法は、コンテンツデータベース、個人情報データベース、モード情報データベースと、個人用配信リストデータベース及びコンテンツ配信装置を備えた個人向けコンテンツ配信システムと、この個人向けコンテンツ配信システムからコンテンツおよび配信リストを受信する視聴者個人所有の受信端末装置から成るシステムにおけるコンテンツ配信方法であって、
前記コンテンツ配信装置が、
前記個人情報データベースに登録された配信対象の個人の趣向や視聴履歴情報などを含んだ個人情報を取得し、さらにモード情報データベースから視聴者の状態や気分などを示すモード情報を取得し、また前記コンテンツデータベースに登録されたコンテンツのメタ情報を取得し、その個人情報及びモード情報並びにメタ情報に基づき個人の趣向及び視聴者の状態などに応じた個人用に最適化したコンテンツの配信リスト（番組表）を作成し、その作成した個人用のコンテンツの配信リストを前記個人用配信リストデータベースに登録する第１のステップと、前記個人用配信リストデータベースに登録された配信リストを視聴者個人所有の受信端末装置向けに配信すると共に、配信リストに従って前記コンテンツデータベースから対応するコンテンツを取得し、対応する視聴者個人所有の受信端末装置向けに配信する第２のステップとを備え、
前記受信端末装置が、
前記コンテンツ配信装置から配信された配信リスト及びコンテンツを受信し、個人用配信リストデータベース及び個人用コンテンツデータベースに登録する第３のステップと、登録された配信リストを表示し、当該配信リスト中のいずれかのコンテンツの選択操作に応じて前記個人用コンテンツデータベースから対応するコンテンツを取得して視聴可能に再生する第４のステップとを備える
ことを特徴とする。
前記第１のステップにおいて、個人情報データベースから取得した個人情報及びモード情報データベースから取得した視聴者の状態や気分などを示すモード情報及びコンテンツデータベースから取得したメタ情報に対し、複数のレコメンデーション装置を用いて個人用に最適化したコンテンツの配信リストを作成することを特徴とする。
【００１５】
本発明に係るコンテンツ配信システムは、コンテンツデータベース、個人情報データベース、モード情報データベースと、個人用配信リストデータベース及びコンテンツ配信装置を備えた個人向けコンテンツ配信システムと、この個人向けコンテンツ配信システムからコンテンツおよび配信リストを受信する視聴者個人所有の受信端末装置から成るシステムであって、
前記コンテンツ配信装置が、
前記個人情報データベースに登録された配信対象の個人の趣向や視聴履歴情報などを含んだ個人情報を取得し、さらにモード情報データベースから視聴者の状態や気分などを示すモード情報を取得し、また前記コンテンツデータベースに登録されたコンテンツのメタ情報を取得し、その個人情報及びモード情報並びにメタ情報に基づき個人の趣向及び視聴者の状態などに応じた個人用に最適化したコンテンツの配信リスト（番組表）を作成し、その作成した個人用のコンテンツの配信リストを前記個人用配信リストデータベースに登録する第１の手段と、前記個人用配信リストデータベースに登録された配信リストを視聴者個人所有の受信端末装置向けに配信すると共に、配信リストに従って前記コンテンツデータベースから対応するコンテンツを取得し、対応する視聴者個人所有の受信端末装置向けに配信する第２の手段とを備え、
前記受信端末装置が、
前記コンテンツ配信装置から配信された配信リスト及びコンテンツを受信し、個人用配信リストデータベース及び個人用コンテンツデータベースに登録する第３の手段と、登録された配信リストを表示し、当該配信リスト中のいずれかのコンテンツの選択操作に応じて前記個人用コンテンツデータベースから対応するコンテンツを取得して視聴可能に再生する第４の手段とを備える
ことを特徴とする。
前記第１の手段が、個人情報データベースから取得した個人情報及びモード情報データベースから取得した視聴者の状態や気分などを示すモード情報及びコンテンツデータベースから取得したメタ情報に対し、複数のレコメンデーション装置を用いて個人用に最適化したコンテンツの配信リストを作成することを特徴とする。
【発明の効果】
【００１６】
本発明によれば、次のような効果がある。
（１）決められた番組表（配信リスト）で、一度に多数に配信するテレビ放送の仕組みがもたらす従来のコンテンツの配信予定時刻やコンテンツの概要を事前に確認する手間を除去できる。
（２）決められた番組表（配信リスト）で、一度に多数に配信するテレビ放送の仕組みがもたらす配信予定時刻に視聴しなくてはいけない制限を除去できる。
（３）視聴者により適したコンテンツ内容・コンテンツ配信順序で構成される個人向けの番組表（配信リスト）の自動作成を可能にする。
（４）個人の状態や気分に合わせたコンテンツ配信を可能にする。
（５）個人向けコンテンツの放送サービスの提供を可能にする。
【発明を実施するための最良の形態】
【００１７】
以下、本発明を適用した個人向けコンテンツ配信システムの一実施の形態について説明する。
図１は、本発明を適用した個人向けコンテンツ配信システムの一実施の形態を示すシステム構成図であり、個人向けの番組表（配信リスト）を作成する装置（１０１）、配信する装置（１０２）、コンテンツ（動画、静止画、動画と静止画との組合せ、音楽などの音声ファイルも含む）情報を保持するデータベース（１０３）、個人用配信リストの情報を保持するデータベース（１０４）で構成される配信システム（１０５）とコンテンツを受信する装置（１０６）、個人が保持する個人用のコンテンツデータベース（１０７）、個人用の配信リストデータベース（１０８）で構成される受信端末装置（１０９）と３Ｇ網やＩＰ網などのネットワーク網（１１０）で構成されている。
まず、配信リストを作成する装置（１０１）がコンテンツデータベース（１０３）の情報から個人用配信リスト（１１１）を作成する。
次に、作成された個人用の配信リスト（１１１）を個人用配信リストデータベース（１０４）に登録する。
次に、配信する装置（１０２）は、個人用配信リストの内容に従い、ネットワーク網（１１０）を利用して、視聴者の受信端末（１０９）に配信する。
配信されたコンテンツのデータは、受信端末装置（１０９）のコンテンツデータベース（１０７）に登録され、配信リスト（１１２）は個人用配信リストデータベース（１０８）に登録される。
【００１８】
以上の構成により、複数の視聴者に共通の番組表（配信リスト）に沿った動画コンテンツ配信ではなく、視聴者個人向けに、各個人の趣向や個性などに応じて最適化したオリジナルの番組表（配信リスト）を作成し、個人の受信端末装置（１０９）に対するコンテンツの配信を実現する。
【００１９】
図２は、個人の趣向や視聴履歴、個性などの個人情報に対し、複数のレコメンデーション装置を利用して、さらにレコメンドの結果に重みを付けることで個人別のコンテンツの配信リストを作成する装置（１０１）の詳細構成を示した図である。
図２に示すように、個人別のコンテンツの配信リストを作成する装置（１０１）は、複数のレコメンデーションを行う装置（２０５）、レコメンドの結果を解析する装置（２０１）、レコメンドの結果をマージする装置（２０２）、配信リストを作成する装置（２０３）、配信リストデータベースを更新する装置（２０４）、コンテンツ情報を保持するデータベース（２０６）、個人の趣向や視聴履歴のデータを保持する個人情報データベース（２０７）、個人用配信リストの情報を保持するデータベース（２０８）で構成される。
なお、レコメンデーションを行う装置については既存の装置を利用することができるので、その詳細な説明は省略する。
また、個人の趣向などについては、個人の視聴履歴を解析して趣向や個性、あるいは特徴を把握する既存の技術を適用することができるので、その詳細な説明は省略する。
なお、個人の趣向を解析するのでなく、それぞれの個人からの申告に従い、各個人の趣向、趣味、所望するコンテンツを個人情報データベースに登録するようにしてもよい。
【００２０】
図３は、複数のレコメンデーション装置（２０５）を利用して配信リストを作成する手順を示したフローチャートである。
まず、各レコメンデーション装置（２０５）がコンテンツデータベース（２０６）の複数コンテンツのメタ情報と個人情報データベース（２０７）の個人の趣向や視聴履歴のデータを参照し、配信リストの候補をレコメンデーションする（処理３０１）。
例えば、３つのレコメンデーション装置１（２０５−１）〜３（２０５−３）を採用し、配信リストの候補を作成する。レコメンデーション装置１（２０５−１）では、コンテンツのメタ情報と個人情報に登録されている好きなキーワードを照らし合わせることで１００件の配信リストの候補（３０２）を作成する。レコメンデーション装置２（２０５−２）では、視聴者の過去の視聴履歴より好みのコンテンツを予想し、１００件の配信リストの候補（３０３）を作成する。レコメンデーション装置３（２０５−３）では、視聴者と同じ性質あるいは個性と思われる他の視聴者が好むコンテンツから、１００件の配信リストの候補（３０４）を作成する。
【００２１】
次いで、レコメンデーション結果解析装置（２０１）で個人情報ＤＢ（２０７）に個人別に設定された各レコメンデーション装置（２０５−１）〜（２０５−３）毎のプライオリティ情報（３０９）を参照し、レコメンドの結果に重みを付ける（処理３０８）。
プライオリティ情報（３０９）は、例えばレコメンデーション装置１（２０５−１）については「２０」、レコメンデーション装置２（２０５−２）については「３０」、レコメンデーション装置３（２０５−３）については「５０」と設定されている。
次の処理で、レコメンドの結果をマージする装置（２０２）で、各レコメンデーション装置（２０５−１）〜（２０５−３）に設定されたプライオリティに従い、優先順位を加味して配信リストの候補をマージする（処理３１０）。
例えば、プライオリティの高いレコメンデーション装置の順で、レコメンデーション装置３（２０５−３）の配信リスト候補１００件のうち（３１３）の上位５０件（３１４）、レコメンデーション装置２（２０５−２）の配信リスト候補１００件のうち（３１２）の上位３０件（３１５）、レコメンデーション装置１（２０５−１）の配信リスト候補１００件のうち（３１１）の上位２０件（７１６）を連結し、マージされた１００件の配信リスト（３１７）を作成する。
最後の処理で、配信リストを作成する装置（２０３）と配信リストデータベース更新装置（２０４）により、１つにマージされたレコメンドの結果から配信リストを作成し、配信リストデータベース（２０８）を更新する（処理３１８）
図２と図３の構成により、視聴者毎に最適化したコンテンツ内容・コンテンツ配信順序で構成される個人向けの番組表（配信リスト）の自動作成を実現する。
【００２２】
図４は、レコメンデーションを行う際に、モードというカテゴリ要素を加味して番組表（配信リスト）を作成し、個人の状態や気分に合わせたコンテンツ配信を実現する実施形態を示した図である。
この実施形態のコンテンツ配信システム（４１２）は、モード情報（４０２）を保持するモード情報データベース（４０１）、コンテンツ情報（４０４）を保持すコンテンツデータベース（４０３）、個人情報（４０６）を保持する個人情報データベース（４０５）、モード要素を加味したレコメンデーション装置（４０７）、配信リスト情報（４１０）を保持する配信リストデータベース（４０９）、配信する装置（４１１）で構成される。
視聴者（４１９）が使用する受信端末装置（４１６）は、通信網（４１３）を介してコンテンツを受信する装置（４１４）、受信したコンテンツを再生する装置（４１５）で構成される。
【００２３】
図５は、モード情報データベース（４０１）が保持するモード情報（４０２）の一例を示した図である。
モード情報データベース（４０１）が保持するモード情報（４０２）は、ユーザ（４０２１）、モード（４０２２）、レコメンデーションルール（４０２３）で構成され、視聴者（ユーザ）の状態や気分を表すモードというカテゴリ（４０２２）は、ユーザ（４０２０１）毎に複数保持され、各モード毎にレコメンデーションを行うための規則を記述したレコメンデーションルール（４０２３）が保持される。
まず、モード要素を加味したレコメンデーション装置（４０７）が、モード情報（４０２）のモード（４０２２）毎に設定されたレコメンデーションルール（４０２３）に従って、コンテンツのメタ情報（４０４）と個人情報データベース（４０５）に登録されている個人の趣向や視聴履歴の個人情報（４０６）を元に、モード情報（４０２）を加味した配信リスト（４０８）をレコメンデーションし、作成する。
【００２４】
作成された配信リスト（４０８）は、配信リストデータベース（４０９）に格納され、配信する装置（４１１）は、配信リスト（４１０）に従ってコンテンツを配信する。
配信されたコンテンツは、通信網（４１３）を介して、視聴者の受信端末（４１６）に受信される。
視聴者（４１９）は、自分の状態や気分に合わせてモードを選択する（４１７）し、モードに合ったコンテンツを視聴する（４１８）。
図４の構成により、視聴者の気分や状態に合わせたモード別の再生方法をとることによる、心身の状態に最適なコンテンツの視聴を実現することが可能になる。
【００２５】
図６は、図１、図２、図４の構成を組み合わせることで、視聴者別に最適な番組表（配信リスト）を作成し、配信するサービスを提供する全体システムを示した図である。
コンテンツ配信システム（６０８）は、個人の趣向に合わせて、個人用の番組（配信リスト）を作成する装置（６０１）、番組（配信リスト）に従いコンテンツを配信する装置（６０２）、コンテンツの情報を保持するコンテンツデータベース（６０３）、個人の趣向や視聴履歴情報などを保持する個人情報データベース（６０４）、視聴者の状態や気分などを示すモード情報を保持するモード情報データベース（６０５）、視聴者毎の配信リスト（６０７）を保持する個人用配信リストデータベース（６０６）で構成される。
【００２６】
視聴者個人所有の受信端末（６１５）、（６１６）は、３Ｇ／ＩＰ網などのネットワーク網（６０９）を介してコンテンツを受信する装置（６１０）、受信したコンテンツを再生する装置（６１１）、受信したコンテンツとコンテンツ情報を保持するコンテンツデータベース（６１２）、個人向けに作成され配信された配信リスト情報（６１４）を保持する配信リストデータベース（６１３）で構成される。
【００２７】
この構成においては、まず、個人の趣向に合わせて、個人用の番組表（配信リスト）を作成する装置（６０１）が、モード情報データベース（６０５）が保持する視聴者の状態や気分を示すモード情報とコンテンツデータベース（６０３）が保持するコンテンツのメタ情報と個人情報データベース（６０４）が保持する個人の趣向や視聴履歴のデータを元に、個人の趣向に合わせた、個人向けの番組表（配信リスト）（６０７）をレコメンデーションし作成する。
作成された配信リスト（６０７）は、配信リストデータベース（６０６）に格納され、番組（配信リスト）（６０７）に従って、コンテンツを配信する装置（６０２）によって、３Ｇ／ＩＰ網などのネットワーク網（６０９）を介し、視聴者毎に視聴者個人所有の受信端末（６１５、６１６）に配信される。
配信された配信リストおよびコンテンツの情報は視聴者個人所有の受信端末（６１５，６１６）のコンテンツデータベース（６１２）や配信リストデータベース（６１３）に格納される。
【００２８】
視聴者個人所有の受信端末（６１５）、（６１６）に保存されたコンテンツは、視聴者（６１７）が、自分の状態や気分に合わせてモードを選択したり、コンテンツを検索したりする（６１８）ことで、リクエストに合ったコンテンツを視聴する（６１９）ことができる。
また、視聴者毎に作成された配信リスト（６１４）は、個人が所有する受信端末（６１５）のみ受信可能とし、他の視聴者が所有する受信端末（６１６）に配信されることはない。
図６の構成により、視聴者個人に合わせ、最適な番組表（配信リスト）を作成し、個人毎に配信するサービスを実現することができる。
【００２９】
図７は、視聴者別に最適な番組表（配信リスト）を作成し、配信するサービスを提供するシステムを具体化した一例を示す図である。
サービス提供にあたり必要となる構成は、サーバ（７０１）と視聴者各自が所有する受信端末（７０２）、および配信を行うためのネットワーク（７０３）である。
サーバ（７０１）は、複数のレコメンデーション装置（７０４）と、視聴履歴や趣向などの個人情報（７０５）を保持する個人情報データベース（７０６）と、個人毎のモード情報（７０７）を保持するモード情報データベース（７０８）と、コンテンツIDやコンテンツの内容の説明などのコンテンツ情報（７０９）を保持するコンテンツデータベース（７１０）と、個人毎の配信リスト（７１１）を保持する配信リストデータベース（７１２）で構成される。
【００３０】
視聴者が所有する受信端末（７０２）は、受信装置（７１３）と、配信リストに従って配信された個人用コンテンツ（７１４）を保持する個人用コンテンツデータベース（１７１５）と、個人用の配信リスト（７１６）を保持する個人用配信リストデータベース（７１７）と、コンテンツの再生やコンテンツの選択を行うためのインターフェース装置（７１８）で構成される。
【００３１】
以上の構成において、まず、サーバ（７０１）の複数のレコメンデーション装置（７０４）が、個人情報（７０５）とモード情報（７０７）とコンテンツ情報（７０９）を参照し、レコメンデーションを行い、「過去」の視聴履歴などから視聴者の趣向や特性に関係性の高い配信リストの候補（７１９）を作成する。
次いで、レコメンドの結果の配信リスト候補群（７１９）を１つの配信リスト（７２０）にマージし、個人毎の配信リストを作成し、配信リストデータベース（７１２）に更新登録する。
サーバ（７０１）の配信リストデータベース（７１２）が保持する配信リスト（７１１）と受信端末（７０２）側の個人用配信リストデータベース（７１７）が保持する配信リスト（７１６）はネットワーク上で同期（７２１）を行う。
【００３２】
コンテンツ自体の配信は、受信端末（７０２）側の配信リストと受信端末（７０２）側に既に配信されているコンテンツを比較し、未配信のコンテンツだけを配信する差分のみを受信する形式で行う（７２２）。
配信されたコンテンツについては、視聴者（７２３）が「現在」の状態や気分にあったモードを選択し（７２４）、視聴者の状態や気分に関係性の高いコンテンツの視聴を可能にする。
【００３３】
図７の構成により、過去の視聴履歴から視聴者個人に最適な番組表（配信リスト）を作成し、個人毎に最適化したコンテンツの配信リストを個々の視聴者に配信し、視聴者の現在の状態や気分に関係性の高いコンテンツのみを視聴できるサービスの提供を実現することができる。
【図面の簡単な説明】
【００３４】
【図１】本発明に係るコンテンツ配信システムの実施の形態を示すシステム構成図である。
【図２】配信リストを作成する部分の詳細構成図である。
【図３】複数のレコメンデーション装置を利用して配信リストを作成する手順を示すフロー図である。
【図４】個人の状態や気分に合わせたコンテンツ配信を実現する構成を示す図である。
【図５】視聴者の状態や気分を示すモードの情報の一例を示す図である。
【図６】個人向けコンテンツ配信サービスを提供する構成を示す図である。
【図７】視聴者個別に最適な番組表（配信リスト）を作成し、配信するサービスを提供する構成を具体化した一例を示す図である。
【図８】従来一般的に行われている動画コンテンツの配信と視聴するシステムの一例を示す図である。
【図９】静止画ファイルのメタ情報の一例を示す図である。
【図１０】動画ファイルのメタ情報の一例を示す図である。
【図１１】従来の地上波テレビ放送において動画コンテンツを視聴するまでの一般的なフローを示す図である。
【符号の説明】
【００３５】
１０１…配信リストを作成する装置
１０２…配信する装置
１０３…コンテンツデータベース
１０４…個人用配信データベース
１０５…個人向けの番組を配信するシステム
１０６…受信する装置
１０７…コンテンツデータベース（個人用）
１０８…個人用配信リストデータベース（個人用）
１０９…視聴者Ａ所有の受信端末装置
２０１…レコメンデーション結果解析装置
２０２…レコメンドの結果をマージする装置
２０３…配信リストを作成する装置
２０４…配信リストデータベース更新装置
２０５…レコメンデーション装置群
２０６…コンテンツデータベース
２０７…個人情報データベース
２０８…配信リストデータベース
２０９…配信する番組表（配信リスト）を作成するシステム
４０１…モード情報データベース
４０２…モード情報
【図１】
2010130051.tif 000003
【図２】
2010130051.tif 000004
【図３】
2010130051.tif 000005
【図４】
2010130051.tif 000006
【図５】
2010130051.tif 000007
【図６】
2010130051.tif 000008
【図７】
2010130051.tif 000009
【図８】
2010130051.tif 000010
【図９】
2010130051.tif 000011
【図１０】
2010130051.tif 000012
【図１１】
2010130051.tif 000013